(57)【特許請求の範囲】
【請求項１】
バーナ管と、  前記バーナ管にバイオマス粉体を供給する燃料供給装置と、  前記バーナ管の側壁に接続された１次空気供給管を有し、  前記燃料供給装置から供給されたバイオマス粉体が、前記１次空気供給管からの１次空気により前記バーナ管内で旋回しながら落下し、前記バーナ管の下端の燃料放出口から放出されるバーナ装置であって、  前記燃料放出口の下方にコーン状内壁を有する断熱壁を設けたことを特徴とする粉体バーナ装置。
【請求項２】
前記コーン状内壁の広がり立体角が３．５ステラジアン以下であることを特徴とする請求項１に記載のバーナ装置。
【請求項３】
前記バイオマス粉体は、最大粒径が３０ｍｍ以下であり、粒径０．５ｍｍ以下のバイオマス粉体を１０重量％以上含むことを特徴とする請求項１又は２に記載のバーナ装置。
【請求項４】
前記コーン状内壁の温度が９００℃以上となるように前記１次空気の温度及び供給量を制御する１次空気制御手段を更に有することを特徴とする請求項１〜３のいずれか一項に記載のバーナ装置。
【請求項５】
請求項１〜４のいずれかのバーナ装置と、  前記バーナ装置の下部に直結された燃焼炉を有する燃焼装置。
【請求項６】
前記燃焼炉は、
前記燃料放出口の後流側の１次燃焼ゾーンと、１次燃焼ゾーンの後流側に位置し、２次空気を吹き込んで主燃焼を行う２次燃焼ゾーンと、前記２次燃焼ゾーンの後流側の炉底に位置し、３次空気を吹き込んで未燃分を燃焼させる３次燃焼ゾーンと、
前記２次空気及び３次空気の供給量を制御する２次空気制御手段及び３次空気制御手段を更に有することを特徴とする請求項５に記載の燃焼装置。
【請求項７】
前記燃焼炉の炉底面を冷却するための冷却手段と、  前記炉底面に堆積した燃焼灰を系外に排出する灰出し装置をさらに有することを特徴とする請求項５又は６の燃焼装置。 
【発明の詳細な説明】
【技術分野】
【０００１】  本願は、草本・木本・食品廃棄物等のバイオマス粉体を燃料とするバーナ装置及び燃焼装置に関する。本願は、粗粉砕のバイオマス粉体であっても工業用燃料として使用できる粉体バーナ装置を開示し、さらに、当該バーナ装置を使用した安定かつ高効率で運転制御が可能な燃焼炉を開示する。本願のバイオマス粉体燃焼装置は、稲わら・麦わら・籾殻・よし等の草本、及び、間伐材・木質廃棄物・建築廃材・バーク・剪定枝等の木本のほか、コーヒー滓・廃菌床・食品残渣等の固体バイオマスであれば、低発熱量・高灰分・低融点灰等の難燃性のバイオマスであっても、燃焼制御が可能な工業用燃料として使用できる。本願の燃焼装置は、熱源装置及び発電プラントのほか、既設の石油・ガス燃料燃焼器等の代替装置としても活用できる。
【背景技術】
【０００２】  種々のバイオマスが広く存在しながらも利用が進んでいない理由として、工業用燃料としての纏まった量の利用がなされていないことが挙げられる。工業用燃料として利用できれば、有価エネルギーとなる。工業用の燃焼装置の燃料として利用するためには、ガス・石油燃料の場合と同様に、熱源として、燃焼量・燃焼排ガス温度・排ガス性状等を短時間（分単位）で制御できることが重要である。バイオマスを燃料とする燃焼装置において、この条件を満足できる方式は、バーナ方式以外にはない。バーナ方式であれば、燃料粉体の供給量で燃焼量を瞬時的に制御出来、燃焼排ガス温度・排ガス性状も燃焼用空気量で瞬時的に制御出来、工業用熱源の燃焼装置としての機能を果たす。しかし、現在では、バイオマス粉体を燃料とし、汎用的に利用できる粉体バーナ方式の燃焼装置は開発されていない。【０００３】  本願では、燃料放出口から燃料と空気を放出して、放出口近傍で着火・保炎する形式のものをバーナ装置と呼び、燃焼炉全体を使って燃焼を保持する焼却炉などのように、炉内で燃料を燃焼させるだけで、燃料放出口近傍から炎形成しない装置は、バーナ装置とは呼ばない。【０００４】  粉体燃料を工業用に利用する最良の方式の一つが粉体バーナ方式である。粉体バーナ方式は、事業用石炭焚き大型ボイラではほぼ１００％が採用されている。粉体バーナ方式の最も重要な点は、燃料放出口で着火・保炎出来ることである。そのため、石炭を燃料とする粉体バーナ装置では、一般に、７５μｍ以下の超微細粉の微粉炭が使用される。これに対し、バイオマスは、繊維質の物が多く、微粉砕するには多大な粉砕動力を要し、場合によっては原料熱量以上の動力を消費することもあり、コストが増加して、工業用燃料として利用出来ない。【０００５】  従来、チップ状・粉体状のバイオマスを燃料とする燃焼装置は、移動床又は固定床の火格子を使ったストーカ式の燃焼装置が主流である。これらの燃焼装置では、チップ状、ペレット状などに加工したバイオマスが使用される。ストーカ式は焼却炉に広く使われているが、工業用熱源として利用するには燃焼量・燃焼温度の制御が難しく、工業用の熱源装置としては利用されていない。さらに、火格子の場合、燃焼可能な燃料量は、火格子の面積に比例する。そのため、火格子の後流部のガス状燃焼領域を含めると、燃焼空間は焼却炉並みに過大な大きさになり、工業用熱源装置としては使用できない。他方、バイオマスを熱源として利用するための方法も種々提案されているが、汎用的に工業用の熱源として利用できるものは少なく、後述する諸考案もそれぞれ欠点を残している。【０００６】  いま、木質のバイオマスに汎用的に使われている火格子を使った従来型アップドラフト・ストーカ式バイオマス燃焼装置において、燃焼量１００ｋｇ／ｈクラスの概略の寸法を簡単に試算してみると次の様になった。  燃焼量：１００ｋｇ/h（含水分２０％バイオマス基準）  燃焼発熱量：１．５×１０６ｋＪ／ｈ（低位発熱量基準）  火格子面積：１.２ｍ２、  燃焼炉内寸法：縦１.１ｍ×横１.１ｍ×高７.５ｍ  燃焼ゾーン容積:９ｍ３  燃焼炉の性能を示す火炉負荷は、１．５×１０６ｋＪ／ｈ／９ｍ３＝              １６７，０００ｋＪ／ｍ３ｈ＝４０，００���ｋｃａｌ／ｍ３ｈである。  この火炉負荷は、後述する本願の燃焼装置の約１／１０であるから、装置容積は１０倍の大きさであり、工業用の熱源装置としては非常に大きな装置となり、実用機としては利用が難しい。【０００７】  上記で火格子を使った従来型の木質１００ｋｇ／ｈストーカ方式バイオマス燃焼装置の基本計画寸法について検討したが、この燃焼装置が大きいだけでなく、性能についても、次の様な欠点を持っている。（１）ストーカ式燃焼では、火格子上面での着火燃焼によって、燃料の部分燃焼と熱分解ガスの発生が起こる。完全燃焼のために、後流部でＯＦＡ（オーバー・ファイア空気）の吹き込みが行われるが、燃焼ガスと空気のガス・ガス混合を均一に行うことは難しく、未燃ガスを残し易い。（２）ストーカ式燃焼では、燃焼炉の容積が大きいことと、ＯＦＡを使うことで、燃焼ガス温度を高温にすることは難しい。一般には、燃焼炉出口での燃焼ガス温度は８００〜９００℃に止まり、１０００℃を超える高温熱源には対応できない。（３）ＯＦＡの空気量は、通常、燃焼装置に吹き込む全空気量の３０〜４０％であるが、燃焼ガスと十分混合させにはＯＦＡを増やす必要があり、そのために燃焼温度が低下して燃焼が阻害される。（４）火格子の燃焼は燃料チップの積層状況によって影響を受けるため、燃焼状況が時間的に変動し易く、工業的な熱源としては利用し難い。（５）上記のことから、燃焼ガス中の未燃分を完全燃焼させることは難しく、炭素分・炭化水素を含む燃焼排ガスが熱利用後に排出され、浄化装置が必要になる。（６）バイオマスは通常、塩分が含まれている。そのため、燃焼ガスが塩素（CL２）を含み、強い毒性をもつダイオキシンを発生し易い。（７）火格子表面で発生したダイオキシンは、燃焼炉出口部で燃焼ガスを８００℃以上×２秒以上保持することで分解するとされているが、熱焼ガスの熱利用で温度が降下する際の６００℃から２５０℃の低い温度域において、デノボ合成と呼ばれる反応によってダイオキシンが発生する。（８）ダイオキシンは塩素ガスと炭化水素が化学結合したもので、毒性が強く、僅かな排出も許されない。排ガスのダイオキシン濃度規制値は０．１ｎｇ−ＴＥＱ／ｍ３と非常に厳しい。（注：１ｎｇ＝１０−９ｇ，ＴＥＱは、各種ダイオキシン類の換算値合計である。）【０００８】  通常汎用的に使われているストーカ式燃焼装置でバイオマスを工業用燃料として使用することは、上記の説明からも問題点が多いことが分かる。【０００９】  近年、バイオマスを燃料とし、工業用熱源として使用できる燃焼装置が開発されている。例えば、特許文献１は、固形のバイオマスを、平均粒径３００μｍ以下に微粉砕し、一般燃料として利用する方式を開示している。微粉砕によって、バイオマスの取り扱い性が高くなり、また、着火・燃焼性が高くなり、燃焼装置用の燃料として使用可能となる。しかし、微粉砕に要する動力・エネルギーは、粉砕後の粉体の表面積に比例して増大すると言われており、平均粒径３００μｍ以下の微粉砕に要する動力は、一般の中砕〜粗砕の場合の数十〜数百倍のコストとなり、場合によっては原料熱量を上回る動力となって、工業用燃料としては成り立ち難い。【００１０】  毎年膨大な農業副産物とし���発生する籾殻をバイオマス燃料として利用する技術開発が進められている。籾殻は国内だけでも年間１７０万トン産出しており、これは石油換算で５０万トンに相当し、再生可能エネルギー源として貴重な資源である。しかし、籾殻は着火し難く、発煙し易い性質を持ち、難燃性に属する燃料であるため、利用が難しい。籾殻は約１０ｍｍ大きさの粗砕に相当する大きさであるので、圧縮成形してペレットとして利用する方法又はオガ炭として利用方法等が実用化されているが、工業用熱源燃料としてみると製造コストが高すぎる難点がある。【００１１】  籾殻の利用については、工業的燃料としての利用も進められ、近年、東南アジアで籾殻発電事業が展開されている。発電システムとしては、ボイラ・蒸気タービンのランキンサイクル方式とガス化エンジン発電方式があるが、籾殻の難燃性から、燃焼方式もガス化方式も重装備となり、運転動力コストも高くなっている。燃焼方式としては、空気散布式トラベリングストーカ方式、空気吹込み式攪拌流動層燃焼炉、低温燃焼用流動層燃焼炉等が実用化又は開発中であり、ガス化方式としては、アップドラフト火格子部分燃焼ガス化方式、外熱キルンガス化方式等が実用化又は開発中である。これらの方式は何れも装置コストと同時に運転コストも高く、工業的な要求からは改善が求められるところである。【００１２】  特許文献１が、固体バイオマスを微粉砕することで燃焼性を改善させる技術であるのに対し、特許文献２は、低コストで製造可能な中砕〜粗砕（数百ミクロン〜数センチ）のバイオマス粉体を燃料として利用する燃焼装置を開示している。燃料のバイオマス粉体は、主としてオガ粉や籾殻の粉体が使用され、燃焼室をシステム底部に設け、燃焼室に粉体の燃料と燃焼空気を吹き込んで、空気の旋回流でサイクロン燃焼させて燃焼ガスを二次燃焼室に送り、二次燃焼室周壁を構成する水冷管を加熱して排ガスを系外に排出するシステムである。このシステムでは、装置に一体に組み込まれた熱交換器の温水又は水蒸気を加熱するに止まり、汎用的な燃焼器とはならない。また、燃料が持ち込む灰分を燃焼ガスで搬送・排出するために、燃焼炉内空筒速度（空間平均ガス流速）を灰分粒子の終末速度（粒子の落下が停止する速度）以上に保つことが必要であることから、高効率条件である高負荷燃焼は出来ない。また、計画運転条件以外での運転条件変更は不可能で、汎用的な利用は難しい。【００１３】  特許文献３は、粉体のバイオマスを燃料とする粉体燃料燃焼バーナを開示している。しかし、この装置の燃料供給管の先端部は、バーナとしての着火機能は持っておらず、横置き円筒管の燃焼炉に過ぎないものであり、本願で言うところのバーナ装置ではない。また、装置入口に設けられた点火手段にはガス・液体燃料・電気スパーク等のバイオマス以外のエネルギー源が運転時常時使われる点で、コスト的にも問題を有している。【００１４】  特許文献４は、バイオマス粉体バーナとしての機能を持っているものの、下記１）〜５）等の欠点を有している。１）籾殻等の難燃性粉体を燃料として使用した場合の保炎機能が十分でない。２）難燃性粉体の場合、着火安定のための１次空気量の調整が困難である。３）粉体の粒径は、中砕（３ｍｍ以下）��想定しており、数ｃｍクラスの粗砕粉粒子が入ると安定な着火・保炎が困難である。４）５〜２０％の高灰分を有する草本系のバイオマスを燃料とした場合、着火・保炎に問題がある。５）雑草をはじめ草本系は、低融点灰分の含有量が高く、クリンカー防止ができない。
【先行技術文献】
【特許文献】
【００１５】
【特許文献１】特開２００８−１３７３８号公報
【特許文献２】特開２０１０−１８５６３１号公報
【特許文献３】特開２０１１−７４７８号公報
【特許文献４】特開２０１４−２０６３４６号公報
【発明の概要】
【発明が解決しようとする課題】
【００１６】  再生可能エネルギーとして、バイオマスの燃料利用が期待されながらも、利用は狭い範囲に限られている。工業用燃料として汎用的に利用されているのは、木質の白木チップのみと云ってよい。白木は、燃焼障害となる灰分、塩素、窒素等が非常に少ない良質燃料だからである。例えば、バーク・剪定枝・籾殻・食品廃棄物・よし・雑草等の難燃性や、高灰分・低発熱量等の問題を有するバイオマスは、大半が焼却処理されているのが現状である。【００１７】  前述の多種のバイオマスも貴重な再生可能エネルギー原料であり、工業用燃料として利用することが出来れば、低コストの熱源が得られるだけでなく、同時に焼却処理費用を削減することができる。【００１８】  燃焼ガスを熱源として利用する燃焼装置を工業用に使用するには、低公害であることに加え、石油・ガス燃料の燃焼装置と同程度の制御性を有することが必要である。例えば、燃焼量・燃焼排ガス温度・排ガス性状等の制御が短時間（分単位）で出来ることが求められる。【００１９】  固体燃料を工業用に利用する最良の方式が粉体バーナ方式であり、事業用石炭焚き大型ボイラではほぼ１００％が粉体バーナ方式である。この方式では、粉体燃料が燃料放出口で着火・保炎出来ることが必要であるため、７５μｍ以下の超微粒の微粉炭が使用されている。これに対し、バイオマス原料は一般に繊維質の物が多く超微粉砕すると、粉砕動力が製品粉体熱量を上回ってしまい、価格が工業用として成り立たない。【００２０】  本願の目標は、多種多様の固体バイオマスを、過剰な粉砕費用を掛けることなく、工業用燃料として使用できるバイオマス粉体燃焼装置を実用機として完成させることである。本願の燃焼装置は粉体バーナ装置と燃焼炉を連結した構成とし、下記の要求（１）〜（８）の全部又は一部を達成することである。（１）粉体バーナ装置では、粗紛体バイオマスでも、ガス・液体燃料の助燃なしで、粗紛体燃料放出口近傍で、着火・保炎が安定して維持されること。（２）負荷（燃焼量）を短時間（分単位）で変更（制御）できること。（３）負荷変化に応じて燃焼炉出口の燃焼ガス温度が制御可能なこと。（４）低融点灰の燃料を使用する場合でもクリンカー・トラブルを発生させないこと。（５）高灰分の燃料であっても、燃焼灰を問題なく系外に排出できること。（６）燃焼装置の大きさ（容量）がチップ燃焼装置に比べてコンパクトであること。（７）燃焼排ガスは規制基準値以下に抑制できること。（８）燃料に塩素分が含まれていても、ダイオキシンを規制基準値以下に抑制できること。
【課題を解決するための手段】
【００２１】  本願には下記発明が開示される。＜構成１＞  バーナ管と、  前記バーナ管にバイオマス粉体を供給する燃料供給装置と、  前記バーナ管の側壁に接続された１次空気供給管を有し、  前記燃料供給装置から供給されたバイオマス粉体が、前記１次空気供給管からの１次空気により前記バーナ管内で旋回しながら落下し、前記バーナ管の下端の燃料放出口から放出されるバーナ装置であって、  前記燃料放出口の下方にコーン状内壁を有する断熱壁を設けたことを特徴とする粉体バーナ装置。＜構成２＞  前記コーン状内壁の広がり立体角が３．５ステラジアン以下であることを特徴とする構成１に記載のバーナ装置。＜構成３＞  前記バイオマス粉体は、最大粒径が３０ｍｍ以下であり、粒径０．５ｍｍ以下のバイオマス粉体を１０重量％以上含むことを特徴とする構成１又は２に記載のバーナ装置。＜構成４＞  前記コーン状内壁の温度が９００℃以上となるように前記１次空気の温度及び供給量を制御する１次空気制御手段を更に有することを特徴とする構成１〜３のいずれか一項に記載のバーナ装置。＜構成５＞  構成１〜４のいずれかのバーナ装置と、  前記バーナ装置の下部に直結された燃焼炉を有する燃焼装置。＜構成６＞  前記燃焼炉は、  前記燃料供給口の後流側の１次燃焼ゾーンと、１次燃焼ゾーンの後流側に位置し、２次空気を吹き込んで主燃焼を行う２次燃焼ゾーンと、前記２次燃焼ゾーンの後流側の炉底に位置し、３次空気を吹き込んで未燃分を燃焼させる３次燃焼ゾーンと、  前記２次空気及び３次空気の供給量を制御する２次空気制御手段及び３次空気制御手段を更に有することを特徴とする構成５に記載の燃焼装置。＜構成７＞  前記燃焼炉の炉底面を冷却するための冷却手段と、  前記炉底面に堆積した燃焼灰を系外に排出する灰出し装置をさらに有することを特徴とする構成５又は６の燃焼装置。【００２２】  本願構成１の粉体バーナ装置では、バーナ管内でバイオマス粉体を燃料放出口に落下させて放出する方式と、バーナ管内でバイオマス粉体を旋回させる方式を併用し、かつ、燃料放出口の下方にコーン状内壁を有する断熱壁を設けたことにより、バイオマスの着火・保炎性が格段に向上させた。【００２３】  コーン状内壁の温度は、１次空気の供給量及び温度等により制御できる。断熱壁の内壁の形状をコーン状としたことにより、内壁の広い領域を高温（例えば、９００℃以上）にすることができる。この効果により、バイオマス粉体の着火・保炎性が向上し、必要な内壁面積を減じ、内壁面から燃料放出口までの距離を短くすることができ、燃焼炉をコンパクトに低コストで製作できる。【００２４】  好ましい実施形態では、バーナ装置は、助燃（ガス、液体燃料）を使用することなしに、着火・保炎が可能である。また、工業用熱源として利用するには、バーナ方式が最良の燃焼法であるため、燃焼装置は、バーナ装置の下部に燃焼炉を直結した構成とした。【００２５】  粉体バーナ方式としたことで、燃焼量・燃焼炉出口温度（目的利用温度）・排ガス性状（無公害）の制御が容易に行うことが出来、制御時間は随時短時間（分単位）で可能である。【００２６】  上記粉体バーナ装置では、草本類・木本類・農業副産物・食品残渣等がバイオマス粉体燃料として使用可能である。特に、籾殻等の難燃性のバイオマス、雑草等の高灰分・低融点灰のバイオマスも使用可能であり、更に、高含水分（３０％重量程度）のバイオマスも使用可能である。【００２７】  粉体粒度は、一般的には、粗砕（〜数ｃｍ）、中砕（数１００μ〜数ｍｍ）、微粉砕（数１０μ〜数１００μ）、超微粉砕（〜数１０μ）に区分けされている。本願での粒径は、篩目開き基準の値である。粒径の測定は、「ＪＩＳ  Ｚ８８１５  ふるい分け試験方法通則」に従う。高含水分の粉体は、集塊が生じるので、１０％程度に乾燥してサラサラ状態にして計測した。【００２８】  １次空気が過剰になると、着火・保炎が困難になる。そのため、１次空気の供給量は、バイオマス粉体の理論空気量（理論化学当量）以下にする必要がある。バイオマス粉体の理論空気量は、バイオマス燃料（乾燥基準）の重量比５〜６（空気kg/燃料kg）である。通常の燃焼では理論空気量の1.5〜2.5倍の燃焼用空気量が使われる。【００２９】  燃料供給装置は、バイオマス粉体の２〜４倍（理論空気量の40〜60%）の重量の搬送用空気を用いてバーナ管にバイオマス粉体を供給することが好ましく、この濃度であれば、バーナ管出口部での安定した着火が得られやすく、短時間（分単位）での燃焼量変更が可能になる。【００３０】  粉体バーナ装置は、バーナ管出口部の置ける安定着火が最も重要で、この為には、粉体燃料供給量と１次空気供給量による粉体濃度バランス制御が不可欠であるが、１次空気の温度を１５０℃以上にすることによって、高含水分の難燃性バイオマス燃料の着火も改善される。【００３１】  燃焼炉は、１次空気による１次燃焼ゾーンの後流側で、２次空気を吹き込んで主燃焼を行う２次燃焼ゾーンと、その後流側の炉底で３次空気を吹き込んで大きい粒度の粉体や高灰分燃料時に発生し易い落下未燃分を燃焼させる３次燃焼ゾーンと、２次空気及び３次空気の供給量を制御する２次空気制御手段及び３次空気制御手段を有することが好ましい。２次、３次空気の供給量を制御することで、燃焼排ガス温度・排ガス性状等を短時間（分単位）で制御し、及び／又は、排ガス規制基準をクリアする制御が可能となる。【００３２】  燃焼炉での燃焼温度を８００〜１２００℃とすることで、未燃ガス(特に炭化水素)を殆ど残すことなく、燃焼排ガスは規制基準値以下に抑制することができる。原料に塩素分が含まれていても、燃焼温度が８００℃以上の滞留時間を２秒以上としているので、ダイオキシンはたとえ発生しても燃焼炉からの排出までに分解でき、燃焼排ガス中の炭化水素の未燃分がゼロ状態に近くなることから、デノボ反応も生じない。よって、ダイオキシンを排ガス規制基準値以下に抑制できる。【００３３】  工業用熱源温度としては８００〜１２００℃の高温度の要求が多く、燃焼炉出口温度をこの温度に制御すると、１０００℃以下の低融点灰のバイオマス燃料では燃焼炉内で灰スラグが発生しクリンカー等によるトラブルを発生させていた。この為、灰融点上昇剤として、石灰石・消石灰・ドロマイト等を燃焼前の燃料に混入させて、灰のスラグ発生を防止していた。この場合は、灰融点上昇剤の混合コストと同時に、排出灰の処理コストが嵩み、運用上の難点となっていた。【００３４】  本願では低融点��燃料の場合、炉底を冷却する冷却手段を設ける。これにより、燃焼炉の炉壁に燃焼灰を溶融又は軟化状態で付着させて炉底に降下させ、炉底で固化又は凝固させる。固化又は凝固した燃焼灰は、プッシャーで系外に排出する。このことによって、クリンカー（固化灰）の固着トラブルを防止できる。燃焼炉の炉壁は、軟化点温度（例えば、６００℃）とし、炉底の温度は、軟化点温度以下とするとよい。１次、２次及び／又は３次空気で旋回流を発生させることで、溶融又は軟化状態の燃焼灰の炉壁への付着を促進するとよい。冷却炉底を設けることで、低融点灰燃料も工業用燃料として利用することが可能となった。
【図面の簡単な説明】
【００３５】
【図１】本発明の１実施形態のバイオマス粉体燃焼装置４０の全体図を示す。
【図２】粉体バーナ装置１０を示す。（Ａ）は、側方から見た概要図であり、（Ｂ）は、上方から見た概要図である。
【図３】粉体燃料供給装置３０を示す。
【図４】コーン状内壁１７ａ、燃料放出口１３及び保炎板１３ａの配置の例を示す。
【図５】燃焼炉２０の灰出し装置を示す。
【図６】実証実験装置での実験に用いた供試バイオマス粉体Ｆ１〜Ｆ３の粒度分布を示す。
【図７】杉粉体Ｆ１の安定着火域を示す。
【図８】籾殻粉体Ｆ２の安定着火域を示す。
【図９】雑草・剪定枝粉体Ｆ３の安定着火域を示す。
【発明を実施するための形態】
【００３６】  図１は、本発明の１実施形態の燃焼装置４０の全体図を示す。燃焼装置４０は、バーナ装置１０と、バーナ装置１０の下部に直結した燃焼炉２０を有する。バーナ装置１０へは燃料供給装置３０からバイオマス粉体Ｆが供給される。
【００３７】  図２は、バーナ装置１０を示す。バーナ装置１０は、燃料供給装置３０に接続された燃料供給管１１と、下端に燃料放出口１３が形成されたバーナ管１２と、バーナ管１２の側壁に接続された１次空気供給管１４と、バーナ管１２の下方に位置する断熱壁（断熱材）１７を有する。燃料放出口１３の周囲を断熱壁１７で覆い、バーナ管１２の管内空間と断熱壁１７の内部空間を直結することが好ましい。
【００３８】  図３は、例示的な燃料供給装置３０を示す。燃料供給装置３０は、燃料輸送管３１と、ホッパ３２と、モーター３３で駆動されるスクリューフイーダ３４を有する。バイオマス粉体Ｆは、搬送用空気Ａ０によって燃料輸送管３１からホッパ３２に輸送され、ホッパ３２に一旦蓄えられて、スクリューフイーダ３４によって一定速度で燃料供給管１１に送られる。
【００３９】  バーナ管１２の上部に位置する燃料供給管１１から供給されたバイオマス粉体Ｆは、１次空気供給管１４からの１次空気Ａ１によりバーナ管１２内で旋回しながら燃料放出口１３に向けて落下し、燃料放出口１３から下方に放出される。バイオマス粉体Ｆを落下させる方式と、バイオマス粉体Ｆを旋回させる（固気混合流Ｍを形成する）方式を組み合わせたことで、燃料放出口１３の外縁付近でのバイオマス粉体Ｆの濃度を上昇させることができる。
【００４０】  粉体バーナ装置１０は、１次空気の供給量Ａ１及び温度Ｔ１を制御する１次空気制御手段１４ａを有するとよい。１次空気制御手段１４ａは、制御弁を含み得る。
【００４１】  断熱壁１７は、コーン状内壁１７ａを有する。コーン状内壁１７ａは、バーナ管１２の下方に位置する。コーン状内壁１７ａは、コーン形状（下方に向かうに従って内径が拡大する形状）を有する。コーン形状は、例えば、円錐台形状である。多角錐台形状等他の形状でもよい。断面積の拡大は、直線的でも、曲線的でも、段階的でもよい。コーン形状の広がり立体角は、バイオマス粉体の着火・保炎に重要な役割を有する。コーン状内壁１７ａで囲われた粉体バーナの着火燃焼ゾーンＺＺ及び１次燃焼ゾーンＺ１は輻射熱を放熱して断熱壁を加熱する。従って、加熱昇温したコーン状断熱壁からは同時に輻射熱を放出して、着火・１次燃焼を安定に保持することができる。コーン形状の広がり立体角は、火炎の広がりと、コーン状内壁１７ａの輻射熱の受熱分布に影響する。広がり立体角を適切な値にすることで、コーン状内壁１７ａのより広い面積を適切な高温に保つことが可能になる。
【００４２】  広がり立体角は、４．５ｓｒ（ステラジアン）以下がよく、４ｓｒ以下がさらによく、３．５ｓｒ以下が特によい。広がり立体角は、１．５ｓｒ以上がよく、２ｓｒ以上がさらによく、２．５ｓｒ以上が特によい。断熱壁１７の内壁の全体を上記数値範囲の広がり立体角のコーン状内壁１７ａとしてもよく、図４（ａ）、（ｂ）のように、一部の高さ範囲Ｈ１，Ｈ２のみを上記数値範囲の広がり立体角のコーン状内壁１７ａとしてもよい（すなわち、広がり立体角が上記数値範囲外の内壁部分１７ｂを含んでもよい。）本願における広がり立体角は、平均的な立体角を言う。平均的な立体角は、図４（ａ）、（ｂ）の破線で示すように、コーン状内壁１７ａの下端と上端を結ぶ直線で定義できる（上底と下底の面積及び上底から下底までの距離等により幾何学的に定義できる）。
【００４３】  断熱壁の表面温度（コーン状内壁１７ａの温度）Ｔｗは、８５０℃以上とすることが好ましく、９００℃以上とすることがより好ましく、９５０℃以上とすることが特に好ましい。温度Ｔｗは、１次空気の供給量Ａ１及び温度Ｔ１によって制御できる。例えば、温度Ｔｗが規定温度より低い時には、１次空気供給量Ａ１の減少と１次空気温度Ｔ１の上昇によって温度Ｔｗを上昇させる。クリンカー回避等のために温度Ｔｗを低下させる必要がある場合は、その逆操作（１次空気供給量Ａ１の増加と１次空気温度Ｔ１の低下）を行う。
【００４４】  これにより、粗粉砕及び／又は高含水分のバイオマス粉体を燃料として使用し、安定に保炎できるバーナ装置１０を実現した。当社製造の粉体バーナ装置１０において、コーン広がり立体角をπｓｒ（πステラジアン）とすることで、コーン状内壁１７ａの広範な部分を適切な高温（例えば、９００℃以上）に保持することが可能であることが確認された。これにより、着火ゾーンＺＺ、燃焼ゾーンＺ１付近の広い範囲に十分な輻射熱を供給することができ、バイオマス粉体の着火・保炎性が顕著に向上する。具体的には、上記粉体バーナ装置１０では、図５に示される様な粒度分布を持つバイオマス粉体（３０ｍｍ以下に粗粉砕したバイオマス粉体であって、粒径０．５ｍｍ以下のバイオマス粉体を１０重量％含むバイオマス粉体。２０ｍｍ以下に粗粉砕するとより好ましく、１０ｍｍ以下に粗粉砕するとさらに好ましい。）を安定に着火・保炎できる。粗粉砕のバイオマス粉体が使用可能であるため、粉砕に要するコストを大幅に低減できる。バーナ装置１０では、３０％程度までの高含水のバイオマス粉体でも使用可能である。
【００４５】  燃料放出口１３には、保炎板１３ａを配置することが好ましい。保炎板１３ａは、燃料放出口１３の外縁近傍に配置するとよい。保炎板１３ａは、例えば、燃料放出口１３と同心の円環形状である。
【００４６】  燃料放出口１３及び保炎板１３ａは、図２のように、コーン状内壁１７ａの上端と同じ高さに配置してもよく、図４（ａ）〜（ｃ）のように、コーン状内壁１７ａの上端よりも上方又は下方に配置してもよい。保炎板１３ａは、燃料放出口１３と同じ高さに配置するとよいが、図４（ｄ）、（ｅ）のように異なる高さに配置しても構わない。ただし、燃料放出口１３よりも下方に配置する（図４（ｅ））と高耐熱のバーナ管１２が必要となるので好ましくない。
【００４７】  燃料放出口１３付近の着火ゾーンＺＺに着火するための点火トーチ１５を配置するとよい。燃料放出口１３から放出されたバイオマス粉体Ｆは、点火トーチ１５で着火され、着火ゾーンＺＺ及び１次燃焼ゾーンＺ１で燃焼する。よって、バーナ装置１０は、燃料放出口１３から下方に向けて炎が放出されるバーナとして使用できる。点火トーチ１５は点火時にのみ必要であり、着火・保炎が安定した定常運転時には使用する必要がない。一般に、点火トーチには、メタンガス、プロパンガス、灯油等の良質・高価燃料が使用されるため、低コスト運転が大きな目標となる燃焼装置４０では、始動時にのみ点火トーチ１５を使用するのがよい。（注：点火トーチ：主燃焼を安定に燃焼を継続させるための着火源で、主燃焼系とは独立したコンパクトな小型バーナ。）
【００４８】  燃焼炉２０は、２次燃焼ゾーンＺ２と３次燃焼ゾーンＺ３を有する。２次燃焼ゾーンＺ２は、１次燃焼ゾーンＺ１の後流側に位置し、２次空気ノズル２２からの２次空気Ａ２でバイオマス粉体Ｆを主燃焼させるゾーンである。３次燃焼ゾーンＺ３は、２次燃焼ゾーンＺ２の後流側の炉底に位置し、３次空気ノズル２３からの３次空気Ａ３で未燃焼残分を完全燃焼することを目的としたゾーンＺ３である。燃焼後の燃焼排ガスＧは、燃焼炉出口２４から排出される。
【００４９】  工業用の燃焼装置では、燃焼量と燃焼排ガスＧの温度Ｔｇを短時間（分単位）で制御できることが求められる。本実施形態の燃焼装置４０では、燃焼量はバイオマス粉体Ｆの供給量で制御され、燃焼炉２０における燃焼ガスの滞留時間は数秒であるから、瞬時の応答が可能である。燃焼炉出口２４の燃焼ガスの温度Ｔｇは、［粉体燃料の供給量（ｋｇ／ｈ）／総空気量（Ａ０＋Ａ１＋Ａ２＋Ａ３）（ｋｇ／ｈ）］で決まる。Ａ０及びＡ１は、着火ゾーンＺＺでの着火・保炎の安定化を主眼として決定されるため、燃焼ガスの温度Ｔｇは、Ａ２・Ａ３によって制御するのがよい。
【００５０】  バイオマス粉体は粒径１０ｍｍクラスの粉体、３０％の高含水分の粉体、２０％の高灰分等の難燃性の粉体であり得ることから、１次・２次燃焼ゾーンＺ１・Ｚ２で未燃分を生じ得る。そのため、未燃分を炉底で完全燃焼させることを目的に、本願の燃焼装置４０では、図１、図５に示す３次空気Ａ３によって３次燃焼ゾーンＺ３で３次燃焼を行う。残留する灰分Ｈは、堆積状況に応じ、駆動モーター２７で動作する灰出し装置（灰出しプッシャー）２５によって灰溜２６に排出する。
【００５１】  冷却材供給管２８等の冷却手段によって、燃焼炉２０の炉底面を冷却することが好ましい。バイオマス粉体Ｆの燃焼灰が低融点である場合、灰の溶融によるクリンカーの発生が考えられるが、低融点灰では空気供給量Ａ１・Ａ２・Ａ３の配分を制御することで、灰融点以上の高温度雰囲気を作り、燃焼灰が炉壁で固化堆積することを防ぐ。燃焼灰は、溶融又は軟化状態で炉底に降下し、冷却した炉底面で固化又は凝固する。炉底面に堆積した焼却灰・クリンカー等は、灰出し装置（プッシャー装置等）２５で適時系外に排出する。
【実施例】
【００５２】  燃焼量７０ｋｇ／ｈで図１の燃焼装置４０と同構成の実証実験装置を製作し、燃焼実験を実施した。燃焼炉２０の寸法は、高さ２．３ｍ，炉断面上部直径０．５６ｍ×下部直径０．７５ｍ，容積０．８１ｍ３、火炉負荷３８０，０００ｋｃａｌ／ｍ３ｈである。これは、従来技術の項で述べたストーカ式燃焼装置（従来型アップドラフト・ストーカ式燃焼装置）における火炉負荷（４０，０００ｋｃａｌ／ｍ３ｈ）の９．５倍である。ストーカ式では風箱が必要であることを考慮すると、本実施形態の燃焼装置４０は、容積をストーカ方式の約１０分の１にコンパクト化できることが示された。【００５３】  実証実験装置での実験に用いた供試バイオマス粉体は，木粉、籾殻、雑草の３種である。適切なミル出口スクリーンをセットしたハンマーミルでこれらの原料粉体を粗粉砕し、図６に示した粒度分布の供試バイオマス粉体Ｆ１〜Ｆ３を準備した。図６に示すように、供試バイオマス粉体Ｆ１〜Ｆ３は、最大粒径が８〜１０ｍｍであり、粒径０．５ｍｍ以下のバイオマス粉体を１０％以上含んでいる。【００５４】  上記実証実験装置における着火・保炎の安定性試験結果を図７〜９に示す。供試バイオマス粉体Ｆ１〜Ｆ３の含水分は、約１０％，２０％，３０％の３種類とした。含水分は意図的な加湿によって調整した。各試験とも着火源となる断熱壁の温度Ｔｗに注目しながら、１次空気温度Ｔ１と１次空気供給量Ａ１を変化させて着火安定度をテストした。図７〜９の横軸は１次空気温度Ｔ１を示し、縦軸は断熱壁温度Ｔｗを示す。１次空気供給量Ａ１は、粉体Ｆ１〜Ｆ３の供給量に対する空気比λ１（Ａ１／化学当量空気量の重量比）として図中に数値で示した。断熱壁温度Ｔｗは、１次空気温度Ｔ１と空気比λ１により制御した。【００５５】  図７は、杉粉Ｆ１を使用したとき試験結果である。図７のように、含水分約１０％では１次空気温度Ｔ１が１００℃でも断熱壁温度Ｔｗが９００℃となり、安定着火が達成されている。１次空気温度Ｔ１が高温になるとＴｗが１０００℃を超えるため、クリンカー対策のためλ１を大きくしてＴｗの低温化を図っている。含水分３０％粉体ではＴｗが上がらず、１次空気温度Ｔ１を３００℃としてλ１を絞り組むことによってＴｗが９００℃となり、安定着火が達成できた。これらの結果から、燃料放出口１３付近での輻射熱による着火エネルギーの効果が大きいことが判り、本願規定の粗粉砕・高含水のバイオマス粉体でも、断熱壁１７の温度Ｔｗを９００℃以上とすることで安定着火が可能であることが示された。【００５６】  杉粉体Ｆ１の含水分２０％の燃焼試験では、次の結果が得られている。（１）杉粉体Ｆ１の供給量を調節することで、燃焼量を６０〜１００％の範囲で問題なく調整できることを確認した。（２）２次空気供給量Ａ２と３次空気供給量Ａ３を調節することで、燃焼排ガスＧの温度Ｔｇを９５０〜１１５０℃の範囲で問題なく調整できることを確認した。（３）杉粉でも比較的大粒子に対し未燃分が発生したが、炉底の３次燃焼ゾーンＺ３が役割を果たし、クリーン燃焼を達成出来た。（４）一酸化炭素ＣＯも常時５０ｐｐｍ以下となるクリーン燃焼を達成した。これまでの経験から、ダイオキシン発生も排ガス規制値以下であると���断できる。【００５７】  図８は、籾殻粉Ｆ２を使用したときの試験結果である。着火安定性は杉粉よりやや劣るが、含水分３０％でも断熱壁温度Ｔｗ９００℃で安定着火が得られた。籾殻は、約１５％の灰分を含んでいるが、大半が炉底に堆積し、この灰を問題なく系外に排出できることを確認した。【００５８】  図９は、雑草粉体Ｆ３を使用したときの試験結果である。図７、図８と同様に、１０％，２０％，３０％の３種類の含水分で試験を行い、いずれも、Ｔｗ９００℃以上で、安定に着火・保炎できた。杉粉体Ｆ１と籾殻粉体Ｆ２では見られなかったクリンカー発生があったが、１次空気温度Ｔ１を下げ、１次空気供給量Ａ１を増加させて断熱壁温度を９００〜１０３０℃に制御することで、クリンカー発生を抑制できた。【００５９】  上記実証実験装置を用いて得られた実験結果を纏めると次の様になる。（１）本願の燃焼装置は、容積が従来のストーカ式燃焼装置の約１／１０であり、装置の小型化が達成できる。（２）草本系、木本系、食品残渣等大半のバイオマスを本願燃焼装置のバイオマス粉体として使用し得る。（３）本願燃焼装置では、最大粒径が１０ｍｍ以下で、粒径０．５ｍｍ以下のバイオマス粉体を１０重量％以上を含むバイオマス粉体を燃料として使用できる。よって、バイオマス粉体の加工コスト（粉砕コスト）を大幅に削減できる。さらに、含水分は３０％まで許容できるため、更なるコスト削減が可能である。（４）工業用燃焼装置として要求される燃焼量制御及び燃焼炉出口の燃焼排気ガス温度も短時間（分単位）で制御することが可能である。（５）本願燃焼装置は、燃焼排気ガスの排ガス規制値をクリア可能である。（６）本願燃焼装置は、炉底を冷却構造とすることによって、低融点灰燃料でも、固着クリンカー・トラブルを発生させることは無い。【００６０】  本願の粉体バーナ装置及び燃焼装置は、０．５ｍｍ以下の粒体を１０重量％以上含むバイオマスを燃料として安定に着火・保炎が可能であり、粉砕に多大なコストを掛けなくても、一般木材・木質廃棄物・建築廃材・バーク・剪定枝等の木質、稲わら・麦わら・籾殻・よし等の草本、コーヒー滓・廃菌床・食品残渣等、多種多様のバイオマスを工業用燃料として利用することが可能となる。さらに、燃焼装置の容積を火格子燃焼装置の約１／１０まで減少させることができ、燃焼ガス量と燃焼温度を短時間（分単位）で制御可能であり、燃焼排気ガスは未燃分が極度に少なく、ダイオキシンなどの有害ガス含有量を排気ガス規制基準以下に押さえることができる。燃焼装置は、石油・ガス燃料並みの安定した運転制御が可能なことから、既存の化石燃料系燃焼器の代替も可能である。例えば、再生エネルギー事業者、製材工場、食品工場、廃棄物処理業者、廃棄物発生事業所等の新設及び既設代替用の燃焼装置として使用できる。
【符号の説明】
【００６１】１０・・・バーナ装置１１・・・燃料供給管１２・・・バーナ管１３・・・燃料放出口１３ａ・・・保炎板１４・・・１次空気供給管１４ａ・・・１次空気制御手段１５・・・点火トーチ１６・・・熱電対１７・・・断熱壁１７ａ・・・コーン状内壁２０・・・燃焼炉２１・・・炉壁２２・・・２次空気ノズル２３・・・３次空気ノズル２４・・・燃焼炉出口２６・・・灰溜２５・・・灰出し装置２７・・・駆動モーター２８・・・冷却材供給管３０・・・燃料供給装置３１・・・燃料輸送管３２・・・ホッパ３３・・・モーター３４・・・スクリューフイーダ４０・・・燃焼装置Ａ０・・・搬送用空気Ａ１・・・１次空気又は１次空気量Ａ２・・・２次空気又は２次空気量Ａ３・・・３次空気又は３次空気量Ｃ・・・冷却材Ｆ・・・粉体燃料又は粉体燃料供給量Ｇ・・・燃焼ガスＴ１・・・１次空気温度Ｔｇ・・・燃焼ガス出口温度Ｔｗ・・・バーナ出口周辺の断熱壁温度Ｈ・・・堆積灰Ｍ・・・粉体燃料と１次空気の固気混合流Ｚ１・・・１次燃焼ゾーンＺ２・・・２次燃焼ゾーンＺ３・・・３次燃焼ゾーンＺＺ・・・着火燃焼ゾーン
【図１】
0006937061.tif 000002
【図２】
0006937061.tif 000003
【図３】
0006937061.tif 000004
【図４】
0006937061.tif 000005
【図５】
0006937061.tif 000006
【図６】
0006937061.tif 000007
【図７】
0006937061.tif 000008
【図８】
0006937061.tif 000009
【図９】
0006937061.tif 000010